(57)【要約】【課題】浴槽に吸着する吸盤部材を劣化したときにも取替えが容易な浴槽用枕を提供する。【解決手段】頭部保持部材２と、浴槽８に着脱可能な吸盤３１と、吸盤３１の背面の中央から突出した凸部３２とを有する吸盤部材３と、頭部保持部材２に固定された吸盤固定板４とを備えている。凸部３２は、外周に沿った溝部３３と、溝部よりも先端側にある頭部３５とを有している。吸盤固定板４は、頭部３５が通過可能な大孔４１と、頭部３５が通過不可能で、且つ、溝部３３が通過可能な小孔４２とが連なった係合孔４３を有している。凸部３２が係合孔４３の小孔４２に係合することにより、吸盤部材３が吸盤固定板４に着脱可能に固定されている。【選択図】        図３
2004350960.tif 000002
【特許請求の範囲】
【請求項１】
頭部保持部材と、
浴槽に着脱可能な吸盤と、前記吸盤の背面の中央から突出した凸部とを有する吸盤部材と、
前記頭部保持部材に固定された吸盤固定板とを備えており、
前記凸部は、外周に沿った溝部と、前記溝部よりも先端側にある頭部とを有しており、
前記吸盤固定板は、前記頭部が通過可能な第１の孔と、前記頭部が通過不可能で且つ前記溝部が通過可能な第２の孔とが連なった係合孔を有しており、
前記凸部が前記係合孔の前記第２の孔に係合することにより、前記吸盤部材が前記吸盤固定板に着脱可能に固定されていることを特徴とする浴槽用枕。
【請求項２】
前記吸盤固定板は、少なくとも一部が前記頭部保持部材によって埋め込まれた接着孔を備えていることを特徴とする請求項１に記載の浴槽用枕。
【請求項３】
前記頭部保持部材が、発泡層と、前記発泡層を覆う表皮層とを有しており、
前記吸盤固定板が、前記発泡層と前記表皮層との間で固定されていることを特徴とする請求項１又は２に記載の浴槽用枕。
【請求項４】
前記頭部保持部材が、前記吸盤部材の凸部を挿入可能な凹部を有していることを特徴とする請求項１から３のいずれか１項に記載の浴槽用枕。
【請求項５】
前記吸盤部材が、前記吸盤の背面に吸盤ノブを有していることを特徴とする請求項１から４のいずれか１項に記載の浴槽用枕。
【請求項６】
前記頭部支持部材が、独立発泡樹脂組成物からなることを特徴とする請求項１から５のいずれか１項に記載の浴槽用枕。
【請求項７】
前記頭部保持部材が、ポリエチレン発泡組成物、又は、変性ポリエチレン発泡組成物からなることを特徴とする請求項１から６のいずれか１項に記載の浴槽用枕。
【発明の詳細な説明】
【０００１】
【発明の属する技術分野】
本発明は、吸盤をもって浴槽に着脱する浴槽用枕にあって、吸盤劣化時に吸盤の取替えが可能な浴槽用枕に関する。
【０００２】
【従来の技術】
入浴中に浴槽内でリラックスするために、浴槽の周縁部に取り付けて、首部や頭部を持たれ掛けさせるための浴槽用枕がある。これまでに、首部や頭部をもたれかけさせるための頭部保持部材に吸盤部材を設けて、吸盤部材により浴槽の周縁部に取り付けて使用することができる浴槽用枕がある（特許文献１）。
【０００３】
【特許文献１】
実用新案登録第３０４４１１３号公報
【０００４】
【発明が解決しようとする課題】
特許文献１の浴槽用枕は、頭部保持部材である弾性のシート体に複数個の吸盤部材を設け、シート体を折り曲げ、吸盤部材を浴槽の周縁部に取り付け、首部や頭部をシート体にもたれ掛けさせて使用する。しかしながら、特許文献１において、吸盤部材が頭部保持部材に固着されているため、風呂蓋等を使用するため浴槽用枕を取り外す場合に、その度、吸盤部材を浴槽から外す必要がある。このため、吸盤部材が劣化しやすい。しかも、前記構造において吸盤部材は固着されているため、劣化時にも吸盤部材のみを取替えることは不可能であった。
【０００５】
そこで、本発明の目的は、吸盤部材が劣化した際にも吸盤部材のみを取替え可能な浴槽用枕を提供することである。
【０００６】
【課題を解決するための手段】
本発明の浴槽用枕は、頭部保持部材と、浴槽に着脱可能な吸盤と、前記吸盤の背面の中央から突出した凸部とを有する吸盤部材と、前記頭部保持部材に固定された吸盤固定板とを備えており、前記凸部は、外周に沿った溝部と、前記溝部よりも先端側にある頭部とを有しており、前記吸盤固定板は、前記頭部が通過可能な第１の孔と、前記頭部が通過不可能で且つ前記溝部が通過可能な第２の孔とが連なった係合孔を有しており、前記凸部が前記係合孔の前記第２の孔に係合することにより、前記吸盤部材が前記吸盤固定板に着脱可能に固定されている（請求項１）。
【０００７】
この構成によると、頭部保持部材と吸盤部材とが着脱可能であるので、吸盤が劣化したときにも取替えが容易に行うことができる。また、この構造を利用して浴槽から吸盤部材を外すことなく、頭部保持部材を浴槽へ着脱することが可能である。また、頭部が通過不可能で且つ溝部が通過可能な第２の孔に凸部が係合しているために、吸盤部材を吸盤固定板から引き抜く方向の力が加えられただけでは、凸部の係合を解除することができない。このため、使用中に頭部保持部材が吸盤部材から外れる可能性を少なくすることができる。しかも、凸部を第１の孔にまでスライドさせるという容易な作業を行うだけで、凸部の係合を解除することができ、それによって、吸盤部材を容易に頭部保持部材から取り外せる。
【０００８】
本発明の浴槽用枕において、前記吸盤固定板は、少なくとも一部が前記頭部保持部材によって埋め込まれた接着孔を備えていてもよい（請求項２）。これによると、吸盤固定部を頭部保持部材に、強固に固定することができる。
【０００９】
本発明の浴槽用枕は、前記頭部保持部材が、発泡層と、前記発泡層を覆う表皮層とを有しており、前記吸盤固定板が、前記発泡層と前記表皮層との間で固定されていてもよい（請求項３）。これによると、吸盤固定板を強固に固定することができる。さらに、吸盤固定板が頭部保持部材から露出しないため、見栄えがよい。
【００１０】
本発明の浴槽用枕は、前記頭部保持部材が、前記吸盤部材の凸部を挿入可能な凹部を有していてもよい（請求項４）。この構成によると、吸盤部材の凸部を頭部保持部材内に収めることが可能である。これにより、浴槽用枕を安定して使用することができる。
【００１１】
本発明の浴槽用枕は、前記吸盤部材が、前記吸盤の背面に吸盤ノブを有していてもよい（請求項５）。これによると、吸盤部材を浴槽から容易に外すことができる。
【００１２】
本発明の浴槽用枕は、前記頭部支持部材が、独立発泡樹脂組成物からなっていてもよい（請求項６）。これによると、頭部保持部材が水を吸収しない独立発泡であるため、湯水が頭部保持部材の内部に含水されず、カビなどが発生する恐れが少なく、浴槽用枕を清潔に使用することができる。
【００１３】
本発明の浴槽用枕は、前記頭部保持部材が、ポリエチレン発泡組成物、又は、変性ポリエチレン発泡組成物からなっていてもよい（請求項７）。この構成によると、頭部保持部材が高い断熱性と柔軟性を有すると共に、表面が平滑であるため、浴槽用枕を快適に使用することができる。
【００１４】
【発明の実施の形態】
以下、本発明に係る好適な実施の形態について、図面を参照しつつ説明する。
【００１５】
図１は、本実施の形態に係る浴槽用枕が浴槽に取り付けられた状態における断面図である。図１に示すように、浴槽用枕１は、頭部保持部材２と、吸盤部材３と、頭部保持部材２に固定された吸盤固定板４とを有している。頭部保持部材２は入浴者が頭部を載せるためのものであり、頭部を載せやすい形状を有している。吸盤部材３は浴槽用枕１を浴槽８の縁に固定するためのものである。吸盤固定板４は、吸盤部材３を着脱可能に固定するためのものである。
【００１６】
図２は、吸盤部材３の斜視図である。吸盤部材３は、浴槽８に吸着させる吸盤３１と、吸盤３１の背面（吸着面と逆の面）の中央から突出している円柱状の凸部３２とを有している。凸部３２は、その軸方向に垂直な平面内において凸部３２の外周に沿って形成された環状の溝部３３を有している。以下の説明で、凸部３２において、溝部３３よりも先端側にある部分を頭部３５、溝部３３よりも吸盤側にある部分を根部３６と称する。頭部３５の下面と根部３６の上面との距離でもある溝部３３の幅は、少なくとも吸盤固定板４の厚みよりも大きい。また、吸盤３１は、背面に円柱状の吸盤ノブ３４を有している。吸盤ノブ３４を摘み、引くことにより、吸盤３１を浴槽８から容易に取り外すことができる。
【００１７】
図３は、吸盤固定板４の構造を示す平面図である。図３に示すように、吸盤固定板４は、円盤状であって、ほぼ円形の大孔４１と、ほぼ円形の小孔４２と、８つの接着孔４４（４４ａ〜４４ｈ）とを有している。大孔４１及び小孔４２は、吸盤部材３を着脱可能に固定するためのものである。接着孔４４は、後述する頭部保持部材２の内部材２１及び／又は表皮部材２２（図４参照）の一部を埋め込むためのものである。大孔４１は、吸盤部材３の凸部３２を大孔４１に垂直に差込んだ場合に、頭部３５が通過可能な大きさを有している。小孔４２は、吸盤部材３の溝部３３が通過可能で、且つ、吸盤部材３の頭部３５が通過不可能な大きさを有している。大孔４１及び小孔４２は、夫々の中心が吸盤固定板４の中心線４５上に位置し、且つ、小孔４２の中心が吸盤固定板４の中心近傍に位置するように配置されている。さらに、大孔４１と小孔４２との一部に重なり合うように、大孔４１と小孔４２との間に、長方形の通路４７が配置されている。大孔４１、小孔４２、及び、通路４７は、一つの係合孔４３を形成している。通路４７は、吸盤部材３の溝部３３が通過可能で、且つ、吸盤部材３の頭部３５が通過不可能な大きさを有している。
【００１８】
中心線４５上には、係合孔４３を挟むように接着孔４４ａ及び接着孔４４ｂが配置されている。接着孔４４ａ及び４４ｂは、吸盤固定板４の中心に関して対称となっている。この中心線４５に直角に交わる、別の吸盤固定板４の中心線４６上には、接着孔４４ｃ及び接着孔４４ｄが配置されている。接着孔４４ｃ及び接着孔４４ｄも、吸盤固定板４の中心に関して対称であり、且つ、接着孔４４ａ及び接着孔４４ｂを通る円上に配置されている。また、中心線４５に関して左右対称となるように、中心線４５の右側に接着孔４４ｅ及び接着孔４４ｆ、中心線４５の左側に接着孔４４ｇ及び接着孔４４ｈが、接着孔４４ａ〜接着孔４４ｄを通る円の内側に配置されている。さらに、接着孔４４ｅ、接着孔４４ｆ、接着孔４４ｇ、及び接着孔４４ｈは同一円上に配置されている。なお、中心線４５及び中心線４６は、各孔の位置を分りやすく示すためのものであり、実際に存在する線ではない。吸盤固定板４は、複数の接着孔４４を有することにより、吸盤固定板４と内部材２１及び／又は表皮部材２２とを強固に接着させることができる。
【００１９】
次に、吸盤部材３を吸盤固定板４に固定する方法について説明する。吸盤部材３の凸部３２を吸盤固定板４の大孔４１に垂直に差込み、大孔４１と吸盤部材３の溝部３３とを同じ位置にする。吸盤部材３を小孔４２側にスライドさせて、通路４７を通り溝部３３と小孔４２とを同じ位置にする。溝部３３が小孔４２に位置しているとき、小孔４２の大きさは、頭部３５が通過できないため、吸盤部材３を引き抜くことができない。このようにして、吸盤部材３は、頭部３５と根部３６とで吸盤固定板４を挟み込むようにして固定される。吸盤部材３を吸盤固定板４から取り外す場合は、吸盤部材３を大孔４１側にスライドさせ、通路４７を通り溝部３３と大孔４１とを同じ位置にする。これにより、頭部３５は大孔４１を通過できるため、吸盤部材３を吸盤固定板４から取り外すことができる。
【００２０】
図４は、頭部保持部材２と吸盤部材３との連結部分を拡大した図である。図４に示すように、頭部保持部材２は、内部材２１と内部材２１を覆う表皮部材２２とから構成されている。内部材２１及び表皮部材２２は、発泡体から構成されている。頭部保持部材２は、吸盤部材３の凸部３２が頭部保持部材２に埋まるように凹部５を有している。凹部５は、吸盤部材３の吸盤３１が埋まる広部分５１と吸盤部材３の凸部３２が埋まる狭部分５２とから構成されている。広部分５１と狭部分５２とは、吸盤固定板４により隔てられている。頭部保持部材２が凹部５を有することにより、吸盤部材３は、頭部保持部材２から突出することがなく、浴槽用枕１の使用時においても、頭部を頭部保持部材２に安定して置くことができる。吸盤固定板４は、複数の接着孔４４を有しているため、頭部保持部材２の内部材２１及び／又は表皮部材２２の一部が接着孔４４に埋め込まれ、吸盤固定板４と内部材２１及び／又は表皮部材２２とを強固に固定することができる。さらに、吸盤固定板４は、頭部保持部材２の内部材２１と表皮部材２２との間に固定されているため、吸盤固定板４はさらに強固に固定することができ、且つ、吸盤固定板４が頭部保持部材２から露出することがないため見栄えがよい。
【００２１】
頭部保持部材２の内部材２１及び表皮部材２２は、好ましくは発泡樹脂組成物によって形成されてなる。樹脂としては、ポリエチレン或いは、ポリエチレン・酢酸ビニルコポマリーなどの変性ポリエチレンが好ましく用いられる。これらのポリエチレン系樹脂は表面がざらつくことがないように発泡させて、表面が平滑な頭部保持部材２を形成することができる。また前記発泡樹脂で形成された頭部保持部材２は、断熱性が高く、柔軟なことから、使用者は快適な入浴を楽しむことができる。さらに、発泡体は独立気泡に形成すると、浴槽８中の湯水が表面にかかった際にも含水されず、衛生的であるといった利点がある。
【００２２】
上記発泡樹脂組成物には抗菌剤を混入して、抗菌機能を付与することが可能である。抗菌剤としては、例えばリン酸カルシウムやハイドロキシアパタイト等を担体として金属銀を担持されたものを用いることができる。また必要に応じて顔料などを配合して着色することもできる。
【００２３】
吸盤部材３は、好ましくは無発泡の樹脂組成物で形成される。樹脂としては一般に使用される合成樹脂が用いられる。尚、吸盤部材３、特に凸部３２においては、使用時に強い負荷がかかることから、芯材等で補強することも可能である。
【００２４】
浴槽用枕１の製造方法としては、発泡させた樹脂シートを適宜裁断し、メス型に挿入して頭部保持部材２を熱圧成形する。このとき、吸盤固定板４は表皮部材２２と内部材２１との間に挟みこまれた状態でセットされ、熱圧成形時に発泡体と溶融接着されて固定される。また、頭部保持部材２を成形する際、発泡倍率が８〜１２倍になるように調節すると、高い断熱性や殉難性が得られる。
【００２５】
以上説明したように、本実施の形態では、頭部保持部材２と吸盤部材３とが着脱可能であるため、吸盤部材２が劣化したときの取替えを容易に行うことができる。尚、浴槽８から浴槽用枕１を脱着させる際には、吸盤部材２と頭部保持部材２を一体的に取り外すことができるが、この構造を利用して浴槽８から吸盤部材３を外すことなく、頭部保持部材２を浴槽８へ着脱することも可能である。また、吸盤部材３の頭部３５が通過不可能で且つ溝部３３が通過可能な小孔４２に凸部３２が係合しているために、吸盤部材３を吸盤固定板４から引き抜く方向の力が加えられただけでは、凸部３２の係合を解除することができない。このため、使用中に頭部保持部材２が吸盤部材３から外れる可能性を少なくすることができる。しかも、吸盤部材３の凸部３２を大孔４１にまでスライドさせるという容易な作業を行うだけで、凸部３２の係合を解除することができ、それによって、吸盤部材３を容易に頭部保持部材２から取り外せる。
【００２６】
以上、本発明の実施の形態について説明したが、本発明は上述の実施の形態に限られるものではなく、特許請求の範囲に記載した限りにおいて、様々な設計変更が可能なものである。例えば、上述の実施の形態では、浴槽用枕の枕部は、水を吸収しない独立発泡からなっているが、これに限定されるものではない。また、上述の実施の形態では、吸盤部材は、円柱状の吸盤ノブを備えているが、備えていなくてもよい。また、円柱状の吸盤ノブでなくてもよい。
【００２７】
上述の実施の形態では、枕部材は、吸盤部材が枕部材に収まるように凹部を有しているが、有していなくてもよい。また、上述の実施の形態では、吸盤固定板の接着孔が数又は取付位置を限定しているが、これに限定されるものではないし、接着孔を有していなくてもよい。さらに、上述の実施の形態では、吸盤固定板が枕部材の発泡体と表皮部材との間に固定されているが、発泡体と表皮部材との間でなくてもよい。
【００２８】
【発明の効果】
以上説明したように、本発明の浴槽用枕によると、吸盤部材を劣化した際にも取替えが容易である。
【図面の簡単な説明】
【図１】本発明の一実施の形態に係る浴槽用枕を浴槽に取り付けた状態における断面図である。
【図２】図１に示す吸盤部材の構造を示す図である。
【図３】図１に示す吸盤固定板の構造を示す図である。
【図４】図１の部分拡大図である。
【符号の説明】
１  浴槽用枕
２  枕部材
３  吸盤部材
４  吸盤固定板
３１  吸盤
３２  凸部
３３  溝部
３５  頭部
４１  大孔
４２  小孔
４３  係合孔
４４  接着孔
【図１】
2004350960.tif 000003
【図２】
2004350960.tif 000004
【図３】
2004350960.tif 000005
【図４】
2004350960.tif 000006